(57)【要約】【課題】リーダ／ライタの設置スペースを必要することなく、ユーザにわかりやすいインターフェイスを提供する電子決済技術を提供する。【解決手段】この記憶媒体リーダ・ライタシステムは、画像を表示する液晶ディスプレイ装置であって、その表面に非接触式ＩＣカードを置くことが可能な液晶ディスプレイ装置と、液晶ディスプレイ装置の下方に設けられ、液晶ディスプレイ装置の表面に置かれた非接触式ＩＣカードを読み取るためのアンテナと、液晶ディスプレイ装置に画像を表示させる制御装置とを有し、制御装置は、非接触式ＩＣカードを置く位置をユーザに示す位置指示情報を液晶ディスプレイ装置に表示させ、前記位置指示情報は、前記アンテナが放射する読み取り電波が液晶ディスプレイ装置を通過する領域に表示される。【選択図】図５
2009059194.tif 000002
【特許請求の範囲】
【請求項１】
画像を表示する表示手段であって、その表面に記憶媒体を置くことが可能な表示手段と、
前記表示手段の下方に設けられ、前記表示手段の表面に置かれた記憶媒体を読み取るためのアンテナと、
前記表示手段に画像を表示させる制御手段と
を有し、
前記制御手段は、前記記憶媒体を置く位置をユーザに示す位置指示情報を前記表示手段に表示させ、前記位置指示情報は、前記アンテナが放射する読み取り電波が前記表示手段を通過する領域に表示させる
ことを特徴とする記憶媒体リーダ・ライタシステム。
【請求項２】
前記アンテナは前記表示手段とほぼ同じ大きさであることを特徴とする請求項１に記載の記憶媒体リーダ・ライタシステム。
【請求項３】
画像を表示する表示手段であって、その表面に記憶媒体を置くことが可能な表示手段と、
前記表示手段の下方に設けられ、前記表示手段の表面に置かれた記憶媒体を読み取るためのアンテナであって、そのアンテナの放射する読み取り用電波が前記表示手段の表面上方を横断するような放射特性を有するアンテナと、
前記表示手段に画像を表示させる制御手段と
を有し、
前記制御手段は、前記記憶媒体を載せる位置をユーザに示す位置指示情報を前記表示手段に表示させ、前記位置指示情報は、前記アンテナが放射する読み取り電波が前記表示手段上方を通過する領域に表示される
ことを特徴とする、記憶媒体リーダ・ライタシステム。
【請求項４】
画像を表示する表示手段と、
前記表示手段の下方に設けられ、記憶媒体を読み取るための読み取り電波が前記表示手段の縁部を斜めに通過するように配置されたアンテナと、
前記記憶媒体を内部に収容するための開口を有し、前記開口から挿入された前記記憶媒体が前記アンテナと略平行になるように保持する保持手段と、
前記表示手段に前記保持手段の開口の位置をユーザに知らせる位置指示情報を表示させる制御手段と
を有することを特徴とする記憶媒体リーダ・ライタシステム。
【発明の詳細な説明】
【技術分野】
【０００１】
本発明は、記憶媒体リーダ・ライタシステムに関し、より詳しくは、一般に電子マネーと呼ばれる価値情報を記憶するなど、さまざまな情報の記憶に用いられる記憶媒体を読み取り、情報を利用した処理を行うための記憶媒体リーダ・ライタシステムに関する。
【背景技術】
【０００２】
近年の非接触式ＩＣカードの普及により、さまざまなシーンで非接触式ＩＣカードを記憶媒体として、これに情報の読み書きを行うことによりさまざまな処理を行うことが行われている。その処理の代表例としては、非接触式ＩＣカードを用いた電子決済が普及してきており、ユーザは非接触ＩＣカードを用いて、現金を用いない決済方法を選択可能になっている。
【０００３】
現在の非接触式ＩＣカードを用いた決済方式は、売り上げ、現金の出納を集計するための店舗レジスタ（小売店売上機）と、非接触式ＩＣカードを読み取るリーダ／ライタ、及びリーダ／ライタによって読み取った情報に基づいて電子決済を行う決済端末とを互いに接続して、代金の引き落としなどの処理を行う（例えば、特許文献１）。
【特許文献１】特開２０００−２０７５０９号公開公報（図１、図２など）
【発明の開示】
【発明が解決しようとする課題】
【０００４】
しかし、一般に店舗内の代金収受場所であるレジカウンタのスペースは限られており、レジスタに加えてリーダ／ライタを置くと、レジ担当者の作業スペースがさらに限定されてしまい、作業効率を妨げるという問題があった。
【０００５】
また、リーダ／ライタの場所がわからない場合は、非接触式ＩＣカードを用いて支払いを行うユーザはどこに非接触式ＩＣカードを置いて読み取らせればよいのか、戸惑うことがあり、スムーズな記憶媒体の読み書き処理を妨げる恐れもあった。
【０００６】
本発明の目的は、リーダ／ライタの設置スペースを必要することなく、ユーザにわかりやすいインターフェイスを提供する記憶媒体の読み取り及び／又は書き込みを行う技術を提供することにある。
【課題を解決するための手段】
【０００７】
上記課題を解決するための手段として、本発明は以下の特徴を有する。  
本発明の第１の態様は、記憶媒体リーダ・ライタシステムとして提案される。この記憶媒体リーダ・ライタシステムは、画像を表示する表示手段（例えば、液晶ディスプレイ装置）であって、その表面に記憶媒体（例えば、非接触式ＩＣカード）を置くことが可能な表示手段と、前記表示手段の下方に設けられ、前記表示手段の表面に置かれた記憶媒体を読み取るためのアンテナと、前記表示手段に画像を表示させる制御手段（例えば、制御装置）とを有し、前記制御手段は、前記記憶媒体を置く位置をユーザに示す位置指示情報を前記表示手段に表示させ、前記位置指示情報は、前記アンテナが放射する読み取り電波が前記表示手段を通過する領域に表示させることを特徴としている。
本発明によれば、リーダ／ライタの設置スペースを必要することなく、ユーザにわかりやすいインターフェイスを提供する記憶媒体リーダ・ライタシステムを提供できる。
【０００８】
また、上記記憶媒体リーダ・ライタシステムにおいて、前記アンテナは前記表示手段とほぼ同じ大きさとしてもよい。このような構成を有する記憶媒体リーダ・ライタシステムによれば、表示手段に表示させる内容（デザイン、レイアウトなど）が位置指示情報に制約されることはなく、表示手段に表示させる内容を自由に決定できるようになる。
【０００９】
本発明の第２の態様は、記憶媒体リーダ・ライタシステムとして提案される。この記憶媒体リーダ・ライタシステムは、画像を表示する表示手段（例えば、液晶ディスプレイ装置）であって、その表面に読み取り対象となる記憶媒体（例えば、非接触式ＩＣカード）が置かれる表示手段と、前記表示手段の下方に設けられ、前記表示手段の表面に置かれた記憶媒体を読み取るためのアンテナであって、そのアンテナの放射する読み取り用電波が前記表示手段の表面上方を横断するような放射特性を有するアンテナと、前記表示手段に画像を表示させる制御手段（例えば、制御装置）とを有し、前記制御手段は、前記記憶媒体を置く位置をユーザに示す位置指示情報を前記表示手段に表示させ、前記位置指示情報は、前記アンテナが放射する読み取り電波が前記表示手段上方を通過する領域に表示されることを特徴としている。
【００１０】
かかる記憶媒体リーダ・ライタシステムによれば、リーダ／ライタの設置スペースを必要することなく、ユーザにわかりやすいインターフェイスを提供するとともに、アンテナによって発生される読み取り用電波が表示手段を通過することによって減衰することなく記憶媒体に到達でき、また記憶媒体が発生する応答も表示手段を通過することによって減衰することなく、アンテナに到達するため、リーダ／ライタの出力が小さくとも記憶媒体の読み取りが確実に行える記憶媒体リーダ・ライタシステムを提供できる。
【００１１】
本発明の第３の態様は、記憶媒体リーダ・ライタシステムとして提案される。この記憶媒体リーダ・ライタシステムは、画像を表示する表示手段（例えば、液晶ディスプレイ装置）と、前記表示手段の下方に設けられ、記憶媒体（例えば、非接触式ＩＣカード）を読み取るための読み取り電波が前記表示手段の縁部を斜めに通過するように配置されたアンテナと、前記記憶媒体を内部に収容するための開口を有し、前記開口から挿入された前記記憶媒体が前記アンテナと略平行になるように保持する保持手段（例えば、カード収容ボックス）と、前記表示手段に前記保持手段の開口の位置をユーザに知らせる位置指示情報を表示させる制御手段（例えば、制御装置）とを有することを特徴としている。
【００１２】
かかる記憶媒体リーダ・ライタシステムによれば、リーダ／ライタの設置スペースを必要することなく、ユーザにわかりやすいインターフェイスを提供するとともに、アンテナによって発生される読み取り用電波が表示手段を通過することによって減衰することなく記憶媒体に到達でき、また記憶媒体が発生する応答も表示手段を通過することによって減衰することなく、アンテナに到達するため、リーダ／ライタの出力が小さくとも記憶媒体の読み取りが確実に行える記憶媒体リーダ・ライタシステムを提供できる。
【発明の効果】
【００１３】
本発明によれば、リーダ／ライタの専用設置スペースを必要することなく、ユーザ（購買客）に記憶媒体である非接触ＩＣカードを読み取らせるために置くべき位置がわかりやすい、記憶媒体の読み取り／書き込み技術を提供することができる。
【発明を実施するための最良の形態】
【００１４】
以下、図面を参照しながら本発明の実施の形態を説明する。
図１は、本発明の一実施の形態にかかる記憶媒体リーダ・ライタシステムの構成例を示すブロック図である。記憶媒体リーダ・ライタシステムは、いわゆる非接触式ＩＣカードのような無線を用いて読み書き可能な記憶媒体から情報を読み取り、あるいは情報を書き込むためのシステムであって、電子決済や情報の記録変更などさまざまな用途に使用可能なシステムである。
記憶媒体リーダ・ライタシステム1は、本発明の表示手段に相当する液晶ディスプレイ装置１０と、本発明の記憶媒体に相当する非接触式ＩＣカード１５の読み書きを行うためのリーダ／ライタ本体２０と、リーダ／ライタ本体２０に接続されたアンテナ３０と、液晶ディスプレイ装置１０及びリーダ／ライタ本体２０に接続された制御装置４０（本発明の制御手段に相当する）とを有する。
記憶媒体リーダ・ライタシステム１は、ネットワーク５０に接続された決済システム６０と接続されることにより電子決済システムを構成する。
【００１５】
液晶ディスプレイ装置１０はコンビニ店や販売店舗などのカウンタやレジ机に置かれて、客に商品情報（商品外観、スペック、値段など）や、非接触ＩＣカードを読み取らせるために液晶ディスプレイ装置１０の表面に置く位置をユーザに指示する情報（位置指示情報）などを表示する装置であって、例えば、薄型液晶ディスプレイ装置、有機ＥＬディスプレイなどである。
【００１６】
非接触式ＩＣカード１５は、リーダ／ライタ２０と無線通信により通信可能なＩＣチップ（非接触式ＩＣチップと呼ぶ）を有する装置であって、非接触式ＩＣチップを搭載したプラスチックカードのほか、非接触式ＩＣチップを搭載した携帯電話機、移動体通信端末などを含む。
【００１７】
図２は、非接触式ＩＣカード１５の構成例を示すブロック図である。以下、図２を参照しながら、非接触式ＩＣカード１５の構成例を説明する。非接触式ＩＣカード１５は、メモリ１５１と、制御部１５２と、送受信部１５３と、アンテナ１５４とを有している。メモリ１５１は、価値情報など、読み取り対象となる情報を記憶している記憶装置である。制御部１５２は、リーダ／ライタ本体２０からのコマンド、リクエスト、命令などを解釈し、これに応答する動作を実行する。送受信部１５３は、変調部（図略）、復調部（図略）を有しており、リーダ／ライタ本体２０と無線によりデータの送受信を行うために信号の変調／復調を行う。アンテナ１５４はアンテナ３０からの変調波を受信し、これを送受信部１５３に給電すると共に、送受信部１５３からの変調信号を受け取り、これをアンテナ３０に受信させる様、空中に放射する。
【００１８】
「価値情報」は，ＩＣカードなどのデータ記憶装置に記憶されて，商品やサービスの提供に対する対価として交換可能な価値に関する情報である。価値情報には，通貨に相当する貨幣的価値を有するものや，ポイントなどように商品やサービスと交換可能な擬似貨幣的価値を有するものが含まれる。
【００１９】
アンテナ３０は、リーダ／ライタ本体２０からの変調波を非接触式ＩＣカード１５に向けて送信するとともに、非接触式ＩＣカード１５からの応答信号を受信してリーダ／ライタ本体２０に給電する。アンテナ３０は、例えばプラスチック板、紙フェノール、ガラスガラスエポキシなどで形成された基板にに銅やアルミの箔を渦巻き状に印刷したプリントアンテナ、フィルムアンテナなどである。
【００２０】
リーダ／ライタ本体２０は、記憶媒体である非接触式ＩＣカード１５に記憶された情報を、無線通信によって読み書き（データ呼び出し・登録・削除・更新など）を行う装置である。図３に、リーダ／ライタ本体２０の構成例を示すブロック図を掲げる。
【００２１】
リーダ／ライタ本体２０は、制御部２０１と、制御部２０１に接続された送受信部２０２とを有している。送受信部２０２はアンテナ１５にケーブルなどによって接続されている。
【００２２】
制御部２０１は、制御装置４０からの命令を受け取り、これに応じて送受信部２０２を駆動させ、また送受信部２０２から出力されたデータ（非接触式ＩＣカード１５から読み取ったもの）を制御装置４０に渡す機能を有している。制御部１０１は、例えば、ＣＰＵ、ＲＯＭ、ＲＡＭを有するマイクロコンピュータである。
【００２３】
送受信部２０２は、アンテナ１５を介して非接触式ＩＣカード１５と無線によりデータの送受信を行う機能を有する。より詳しくは、送受信部２０２は、変調部２０３と復調部２０４とを有している。変調部２０３は、制御部２０１から受け取った所定のコマンド、リクエスト、命令などの情報に応じたベース信号でキャリア波を所定の変調方式で変調した変調波を生成する。復調部２０４は、非接触式ＩＣカード１５が記憶している価値情報に応じたベース信号に基づいて負荷変調された磁界を復調し、当該データに応じたベース信号を取り出し、制御部２０１に渡す機能を有する。送受信部２０２は、例えば変調回路、復調回路を有するＲＦモジュールなどである。
【００２４】
次に、制御装置４０について説明する。制御装置４０は、リーダ／ライタ本体２０を駆動させて、非接触式ＩＣカード１５が記憶する価値情報を読み取るとともに、購入金額に応じて価値情報を書き換えさせる。また、制御装置４０は、液晶ディスプレイ装置１０を駆動させて、非接触式ＩＣカード１５の読み取り位置を指示する情報及びその他情報を表示させる。また、制御装置４０は、非接触式カード１５の書き換えに応じて、購入金額に応じた決済を行うよう決済システム６０に要求する機能を有する。
【００２５】
制御装置４０は、演算処理装置（ＣＰＵ）、主メモリ（ＲＡＭ）、読出し専用メモリ（ＲＯＭ）、入出力装置（Ｉ／Ｏ）、必要な場合にはハードディスク装置等の外部記憶装置を具備している装置であって、例えばコンピュータ、ワークステーションなどの装置である。前記ＲＯＭ、若しくはハードディスク装置などにプログラムが記憶されており、このプログラムを主メモリ上に載せ、ＣＰＵがこれを実行することにより制御装置４０が実現される。また、上記プログラムは必ずしも情報処理装置内の記憶装置に記憶されていなくともよく、外部の装置（例えば、ＡＳＰ（アプリケーション・サービス・プロバイダのサーバなど））から提供され、これを主メモリに乗せる構成であってもよい。さらに、この制御装置４０は単体の装置で構成されていてもよいし、複数の装置をネットワークにより結合して構成されるものでもよい。
【００２６】
図４は、制御装置４０の構成例を示す機能ブロック図である。制御装置４０は、ネットワーク５０に接続された通信制御部４０４と、通信制御部４０４に接続された決済処理部４０１と、決済処理部４０１に接続されたディスプレイ制御部４０３と、決済処理部４０１に接続された入力部４０２を有している。本明細書中「接続されている」とは、物理的電気的につながっていることだけでなく、ブログラムやプロセスが互いにデータや引数をやり取りできることも含めて、「接続されている」と表現する。
【００２７】
さて、通信制御部４０４は、ネットワーク１０を介して決済システム６０とデータやメッセージを送受信するため、所定のプロトコルの実行、及びデータと電気信号の相互変換を実行する機能を有し、例えば、ネットワークボード／ネットワークカード、ＬＡＮボードなどである。
【００２８】
入力部４０２は、ユーザ（客、購入者など）が購入を希望する商品などの金額、或いは商品ＩＤを入力する装置であって、例えば、キーボード、赤外線スキャナ、光学リーダなどである。
【００２９】
決済処理部４０１は、入力部４０２から入力された情報を受け取ると、リーダ／ライタ本体２０に購入金額に応じた額を差し引く処理を非接触式ＩＣカード１５に対して行うよう指令する。リーダ／ライタ本体２０から購入金額に応じた額を差し引く処理が完了した通知を受け取ると、決済処理部４０１は、通信処理部４０４を介して決済システム６０に購入金額に応じた額の決済を行うよう要求するメッセージを送信する。また、決済処理部４０１は、入力部４０２から入力された情報を受け取ると、液晶ディスプレイ装置１０に非接触式ＩＣカード１５の読み取り位置を指示する情報などを表示するよう指示する。
【００３０】
ディスプレイ制御部４０３は、決済処理部４０１からの指令に従って、ユーザに読み取り位置を指示する情報を液晶ディスプレイ装置に表示させる。ユーザは、読み取り位置を指示する情報に従って、液晶ディスプレイ装置１０上或いはその近傍の位置であって、アンテナ３０により非接触式ＩＣカード１５との通信が可能となる位置に非接触式ＩＣカード１５を置くことが容易に行える。また、ディスプレイ制御部４０３は、購入対象である商品をユーザに確認させるための情報（商品名、商品画像、値段など）、決済が完了したことを通知するメッセージなどの情報を上記読み取り位置を指示する情報に合わせて表示させるようにしても構わない。
【００３１】
ネットワーク５０は、有線・無線、専用回線・交換回線を問わず、これに接続されている装置がそれぞれ目的とする装置に対しセッションを確立したときにその装置間での情報の送受を可能とするように作用する。ネットワーク５０は、インターネットのように、ゲートウエイを介して複数のネットワークが組み合わされて実現しても構わない。また、その接続についてもいわゆるバックボーンといわれる基幹線に直接接続せずとも、ＰＰＰ接続などによって一時的に接続してあっても、セッションを確立したときにその間で情報の送受ができるようになっていれば構わない。
【００３２】
決済システム６０は、制御装置４０から通知される購入金額に応じて、必要な決済処理を行うシステムである。例えば、制御装置４０は、３、０００円の価値情報を記憶している非接触ＩＣカード１５から１，０００円分の購入処理を行った旨を決済システム６０に通知すると、購入金額１，０００円に応じた額（例えば、購入金額から決済手数料を差し引いた額）を指定された口座（例えば、その制御装置４０が備えられた店舗を運営する経営者又は企業の銀行口座）に振り込む処理を実行する。なお、この場合リーダ／ライタ本体２０は、非接触式ＩＣカード１５の記憶する価値情報を元の３，０００円から購入金額１，０００円を差し引いた２，０００円に書き換える処理を行っている。
【００３３】
次に、液晶ディスプレイ装置１０、アンテナ３０の配置位置について説明する。
図５は、本実施の形態にかかる液晶ディスプレイ装置１０、アンテナ３０の配置位置の例を示す図である。アンテナ３０は、液晶ディスプレイ装置１０の裏面の適宜の場所に設ける。本実施の形態では、購入客から見て液晶ディスプレイ装置１０の右下隅裏側部にアンテナ３０が設置されているものとする。
【００３４】
アンテナ３０が放射する読み取り用電波が液晶ディスプレイ装置１０の表面まで到達できるように、且つ非接触式ＩＣカード１５からの応答がアンテナ３０に到達できるように液晶ディスプレイ装置１０はその構成材料及び厚さが設計されている。なお、リーダ／ライタ本体２０は必ずしも液晶ディスプレイ装置１０の裏面側に設置する必要はなく、任意の場所に設置して構わない。
【００３５】
図５では、液晶ディスプレイ装置１０とアンテナ３０との間に空間があるように図示したが、アンテナ３０は液晶ディスプレイ装置１０の裏面に密着させても構わない。裏面にアンテナ３０が密着させてある液晶ディスプレイ装置１０は、支払いカウンタやレジデスク上に置かれ、購入客（ユーザ）が液晶ディスプレイ装置１０の表示内容を視認できるようにする。
【００３６】
図６は、制御装置４０のオペレータ（例えば、店員、レジ担当者など）が入力部４０２より、商品ＩＤ、購入金額を入力した後の液晶ディスプレイ装置１０の表示画面例である。液晶ディスプレイ装置１０には、制御装置４０、より詳しくはディスプレイ制御部４０３により商品の画像及び購入金額が表示される。購入客はこの表示内容により、商品の確認、及び購入金額の確認ができる。
【００３７】
図７は、図６の画面表示状態から遷移して表示される画面例である。図７の表示内容には、非接触式ＩＣカード１５を置く位置を指示する情報（位置指示情報７０１と呼ぶ）が追加して表示される。位置指示情報７０１は、アンテナ３０の上方となる位置に表示される。すなわち、位置指示情報７０１は、前記アンテナが放射する読み取り電波が液晶ディスプレイ装置１０を通過する領域に表示させる。
【００３８】
購入客は液晶ディスプレイ装置１０に表示された位置指示情報７０１に重なるように非接触ＩＣカード１５を液晶ディスプレイ装置１０の表面上に置く。この位置は、アンテナ３０からの読み取り電波が十分な電波強度で到達する場所であるので、非接触ＩＣカード１５が記憶する価値情報の読み取り、書き換えが確実に行える。
【００３９】
また、非接触ＩＣカード１５を置く場所は、液晶ディスプレイ装置１０内であるため、液晶ディスプレイ装置１０が占める面積以上の場所を必要とすることがない。
【００４０】
図８は、図５に示した例とは別の構成例を示す図である。図５に示した例では、アンテナ３０の大きさは、非接触式ＩＣカード１５とほぼ同じ大きさのものであったが、図８に示した例では、アンテナ３０は液晶ディスプレイ装置１０とほぼ同じ大きさのものとした。図９は、図８に示すアンテナ３０の配線例を示した図である。このアンテナ３０は、液晶ディスプレイ装置１０とほぼ同じ基板９０にその外周略内側部分を通るコイル状の導線９１を配置した構成を有している。このような構成を有するアンテナ３０を用いれば、購入客が液晶ディスプレイ装置１０の表示画面内であれば、いずれの場所に非接触式ＩＣカード１５を置いても、非接触ＩＣカード１５が記憶する情報の読み取り、書き換えが行える。この構成の場合は、位置指示情報は液晶ディスプレイ装置１０内のいずれの場所に表示させても構わない。従、液晶ディスプレイ装置１０に表示させる内容（デザイン、レイアウトなど）が位置指示情報７０１に制約されることはなく、自由に液晶ディスプレイ装置１０に表示させる内容を決定できるようになる。
【００４１】
図１０は、図５、図８に示した例とはさらに別の構成例を示す図である。図１０（ａ）に示す構成例では、アンテナ３０は、液晶ディスプレイ装置１０の縁部を斜めに読み取り電波が透過するよう、液晶ディスプレイ装置１０表面に対してアンテナ３０の面が傾斜するように配置される。このアンテナ３０と非接触式ＩＣカード１５が略平行になるように、非接触式ＩＣカード１５を保持するカード収容ボックス１００１がさらに設けられている。カード収容ボックス１００１は、本発明の保持手段に相当する。
【００４２】
カード収容ボックス１００１は、非接触式ＩＣカード１５を収容できる収容空間を有し、その収容空間内にカードを挿入するための開口を有するケース状の部材である。収容空間に収められた非接触式ＩＣカード１５は、アンテナ３０からの読み取り電波を効率的に受信できるよう、アンテナ３０と略平行になる位置に保持されることが好ましいが、必ずしもこれに限定される趣旨ではない。
【００４３】
この構成例では、アンテナ３０と非接触式ＩＣカード１５間の電波が完全に液晶ディスプレイ装置１０を透過せずとも相手側に到達できるため、より小さな出力でも非接触ＩＣカード１５が記憶する価値情報の読み取り、書き換えが行える。
【００４４】
図１０（ｂ）は、図１０（ａ）の構成の場合の、液晶ディスプレイ装置１０に表示させる位置指示情報の例を示している。この例の位置指示情報１００２は、カード収容ボックス１００１の開口をユーザに示す情報である。ユーザはこの位置指示情報に従って、開口からカード収容ボックス１００１内の収容空間へ非接触式ＩＣカード１５を収めることができる。これにより、非接触式ＩＣカード１５は、アンテナ３０からの読み取り電波を効率的に受信できる位置に保持される。
【００４５】
次に、さらにアンテナ３０のさらに別の構成例を図１１に示す。図１１に示すアンテナ３０は、フェライトなどの磁性体で形成されたコア１１０１と、これに巻き回された導線１１０２によって構成される。このような構成のアンテナ３０を用いた場合は、アンテナ３０の発生する電磁界１１０３は、図に示すように液晶ディスプレイ装置１０を通過することなくその表面上を通過するようになる。すなわち、図１１に示すアンテナ３０は、のアンテナの放射する読み取り用電波が前記表示手段の表面上方を横断するような放射特性を有するアンテナである。よって、アンテナ３０によって発生される読み取り用電波も液晶ディスプレイ装置１０を通過することによって減衰することなく、非接触式ＩＣカード１５に到達でき、また非接触式ＩＣカード１５が発生する応答も液晶ディスプレイ装置１０を通過することによって減衰することなく、アンテナ３０に到達する。
【００４６】
このような構成によれば、リーダ／ライタ本体２０の電波出力が低くとも、有効に非接触式ＩＣカード１５の読み取り、書き換えを行うことが可能となる。
【００４７】
なお、図１１に示した例では、コア１１０１の厚みを厚く図示したが、コア１１０１を薄いプレート状のものとしても本発明は成立する。  
【図面の簡単な説明】
【００４８】
【図１】本発明の一実施の形態にかかる記憶媒体リーダ・ライタシステムの構成例を示すブロック図
【図２】非接触式ＩＣカードの構成例を示すブロック図
【図３】リーダ／ライタ本体の構成例を示すブロック図
【図４】制御装置の構成例を示す機能ブロック図
【図５】実施の形態にかかる液晶ディスプレイ装置、アンテナの配置位置の例を示す図
【図６】商品ＩＤ、購入金額を入力した後の液晶ディスプレイ装置の表示画面例を示す図
【図７】図６の画面表示状態から遷移して表示される画面例を示す図
【図８】図５に示した例とは別の構成例の液晶ディスプレイ装置、アンテナの配置位置を示す図
【図９】図８に示すアンテナの配線例を示した図
【図１０】（ａ）は図５、図８に示した例とはさらに別の構成例の液晶ディスプレイ装置、アンテナの配置位置を示す図、（ｂ）は図１０（ａ）の構成の場合の、液晶ディスプレイ装置に表示させる位置指示情報の例を示す図
【図１１】アンテナのさらに別の構成例を示す図
【符号の説明】
【００４９】
１        …  記憶媒体リーダ・ライタシステム
１０      …  液晶ディスプレイ装置
２０      …  リーダ／ライタ本体
３０      …  アンテナ
３０      …  制御装置
【図１】
2009059194.tif 000003
【図２】
2009059194.tif 000004
【図３】
2009059194.tif 000005
【図４】
2009059194.tif 000006
【図５】
2009059194.tif 000007
【図６】
2009059194.tif 000008
【図７】
2009059194.tif 000009
【図８】
2009059194.tif 000010
【図９】
2009059194.tif 000011
【図１０】
2009059194.tif 000012
【図１１】
2009059194.tif 000013